(57)【特許請求の範囲】
【請求項１】
山留め壁１とコンクリートの躯体２０の間の多数の箇所に、弾力に富む材料で形成した弾性体７を設置すると共に、山留め壁１とコンクリートの躯体２０の間の弾性体７の周囲を、土砂１４で埋め戻し、
前記山留め壁１が入力地震力により押圧され、山留め壁１とコンクリートの躯体２０間の間隔が縮小し、弾性体７を圧縮すると共に土砂１４を押圧すると、弾性体７の周囲の土砂１４は弾性体７の外側を圧縮して弾性体７の外側に入り込むように移動し、山留め壁１とコンクリートの躯体２０間の縮小していた間隔が拡大すると、縮小していた弾性体７が拡大して弾性体７の外側に入り込んでいた土砂１４が押し戻されて移動し、このような土砂１４の移動に伴う粒子間の摩擦抵抗と、前記弾性体７の伸縮時の内部抵抗により、前記躯体２０に対する入力地震力を減衰することを特徴とする山留め壁を利用する入力地震力低減構造。
【発明の詳細な説明】
【０００１】
【発明の属する技術分野】
本発明は、建築、土木分野における山留め壁を利用する入力地震力低減構造に関する。
【０００２】
【従来の技術】
従来、山留め壁とコンクリートの躯体の間は、切梁解体時の山留め壁の変形を抑えるために、土砂で埋め戻している。
【０００３】
【発明が解決しようとする課題】
前記する如く、従来山留め壁は、変形を抑えるために土砂で埋め戻すのみで、他の目的に再利用されていない。
【０００４】
本発明は、前記事項に鑑みなされたものであり、切梁解体時の山留め壁の変形を抑えるために土砂で埋め戻される山留め壁を、他の目的に再利用することを課題とする。
【０００５】
【課題を解決するための手段】
本発明は、山留め壁１とコンクリートの躯体２０の間の多数の箇所に、弾力に富む材料で形成した弾性体７を設置すると共に、山留め壁１とコンクリートの躯体２０の間の弾性体７の周囲を、土砂１４で埋め戻し、
前記山留め壁１が入力地震力により押圧され、山留め壁１とコンクリートの躯体２０間の間隔が縮小し、弾性体７を圧縮すると共に土砂１４を押圧すると、弾性体７の周囲の土砂１４は弾性体７の外側を圧縮して弾性体７の外側に入り込むように移動し、山留め壁１とコンクリートの躯体２０間の縮小していた間隔が拡大すると、縮小していた弾性体７が拡大して弾性体７の外側に入り込んでいた土砂１４が押し戻されて移動し、このような土砂１４の移動に伴う粒子間の摩擦抵抗と、前記弾性体７の伸縮時の内部抵抗により、前記躯体２０に対する入力地震力を減衰することを特徴とする。
【０００６】
【発明の実施の形態】
以下図に基づいて本発明の実施の形態の説明をする。図１と図３は本発明の一実施の形態の説明用の図である。
【０００７】
この実施の形態は、従来公知の工法により、木製或いは鋼製等の山留め壁１を、図示してない切梁等で支承するようにして設置する。
そして、山留め壁１の内側の地盤の掘削、及び掘削後の必要な処置を、従来公知の工法により施工し、山留め壁１の内側に、コンクリートの躯体２０を構築し、公知の排水路や防水装置等も施工する。
【０００８】
そして、山留め壁１と、地下躯体として構築したコンクリートの躯体２０との間隔は、略５０ｃｍ〜８０ｃｍ程度に形成する。
そして、前記山留め壁１とコンクリートの躯体２０の間の多数の箇所に、弾力に富む材料であるゴム・ウレタン・発泡スチロー等で形成した弾性体（７ａ）を図１に示すように設置する。
【０００９】
そして、この弾性体（７ａ）は、図３に示すように、円形・四角形・長尺状の板状等に形成し、その厚さは山留め壁１とコンクリートの躯体２０の間隔に合わせて、略５０ｃｍ〜８０ｃｍ程度より若干厚く形成する。
【００１０】
そして、前記弾性体（７ａ）の面積（図３に示す）は、弾性体（７ａ）の柔軟度に影響されるものであるが、この実施の形態では、図１に示される弾性体（７ａ）の縦断した断面積よりも、図３に示される弾性体（７ａ）の正面から見た面積の方を大きく形成してある。
【００１１】
そして、図３に示される弾性体（７ａ）は、山留め壁１の幅１ｍ高さ２ｍの範囲に、円形及び四角形のものは１２箇所程度、長尺状の板状のものは８箇所程度均等に割り付けて設置する。
【００１２】
そして、山留め壁１とコンクリートの躯体２０の間の弾性体（７ａ）の周囲を、従来山留め壁とコンクリートの躯体の間を埋め戻していた土砂と同様の土砂１４で埋め戻して、山留め壁を利用する地震力低減構造としたものである。
【００１３】
この実施の形態は、図１に示す山留め壁１が入力地震力により押圧され、コンクリートの躯体２０の側に移動し、山留め壁１とコンクリートの躯体２０間の間隔が縮小すると、弾性体（７ａ）を圧縮すると共に、土砂１４を押圧する。
【００１４】
そうすると、土砂１４の多くは、コンクリートの躯体２０と一体的となって移動するが、弾性体（７ａ）の周囲に有る土砂１４は、弾性体（７ａ）の外側（図１の土砂１４に接している側）を圧縮して、弾性体（７ａ）の外側に入り込む形に移動する。
【００１５】
そして、山留め壁１とコンクリートの躯体２０間の縮小していた間隔が拡大すると、縮小していた弾性体（７ａ）も拡大し、弾性体（７ａ）の外側に入り込んでいた土砂１４を押し戻す。
【００１６】
したがって、土砂１４が弾性体（７ａ）の外側を圧縮して、弾性体（７ａ）の外側に入り込む形の移動、及び弾性体（７ａ）の外側に入り込む形となっていた土砂１４の復帰する移動は、移動する土砂１４の各粒子間の摩擦抵抗により減衰される。
【００１７】
そして、この実施の形態の入力地震力低減構造は、従来の山留め壁とコンクリートの躯体の間を、土砂のみにより埋め戻していたものに比較して、震動の減衰度が１割〜３割程度大きくなり、山留め壁を介してコンクリートの躯体の地下外壁に作用する入力地震力を１割〜３割程度低減できるものである。
【００１８】
図２及び図４は、本発明の他の実施の形態の説明用の図である。そして、この実施の形態で、さきの実施の形態と同様の部分は同一の符号を用い説明を省略する。そして、同様の作用についても説明を省略する。
【００１９】
この実施の形態は、弾性体（７ｂ）を図２に示すように、螺旋状のばねで形成したものである。そして、この螺旋状のばねで形成した弾性体（７ｂ）は、柔軟性を有する合成樹脂で筒状に形成した被覆８で覆われている。
【００２０】
そして、図２に示す山留め壁１が、地震力により押圧され、コンクリートの躯体２０の側に移動して、弾性体（７ｂ）を圧縮すると共に、土砂１４を押圧し、コンクリートの躯体２０を動かす。
【００２１】
そうすると、土砂１４の一部は被覆８を押圧して、弾性体（７ｂ）の内側に入り込むが、山留め壁１の押圧力が小さくなると、弾性体（７ｂ）により、山留め壁１とコンクリートの躯体２０の間が押し広げられ、被覆８も伸長して弾性体（７ｂ）の外側に出て、土砂１４も弾性体（７ｂ）の外側に引き出される。
【００２２】
【発明の効果】
本発明は、山留め壁１とコンクリートの躯体２０の間の多数の箇所に、弾性体７を設置すると共に、弾性体７の周囲を、土砂１４で埋め戻したものである。
【００２３】
したがって、本発明は、山留め壁１が入力地震力により押圧され、コンクリートの躯体２０の側に移動し、山留め壁１とコンクリートの躯体２０間の間隔が縮小し、弾性体７を圧縮すると共に、土砂１４を押圧すると、弾性体７の周囲に有る土砂１４は、弾性体７の外側を圧縮して、弾性体７の外側に入り込む形に移動する。
【００２４】
そして、山留め壁１とコンクリートの躯体２０間の縮小していた間隔が拡大すると、縮小していた弾性体７も拡大し、弾性体７の外側に入り込んでいた土砂１４を押し戻す。
【００２５】
よって、本発明は、土砂１４が弾性体７への往復時に土砂１４の粒子間の摩擦抵抗と、弾性体７の伸縮時の内部抵抗により、入力地震力を減衰させられるものであり、山留め壁１を有効に利用できるものである。
【図面の簡単な説明】
【図１】本発明の一実施の形態の説明用の断面図
【図２】本発明の他の実施の形態の説明用の断面図
【図３】本発明の一実施の形態の説明用の３種類の弾性体の設置状態を示す図
【図４】本発明の他の実施の形態の説明用の弾性体の設置状態を示す図
【符号の説明】
１  山留め壁
７・７ａ・７ｂ  弾性体
８  被覆
１４  土砂
２０  コンクリートの躯体
【図１】
0004041200.tif 000002
【図２】
0004041200.tif 000003
【図３】
0004041200.tif 000004
【図４】
0004041200.tif 000005